(57)【特許請求の範囲】
【請求項１】
被処理物を空中と処理槽の中との間を上下動し、被処理物を処理槽中の処理液中にて揺動可能とした表面処理装置において、
電極と、
前記電極と被処理物とを結合する導電性部材と、
被処理物をぶら下げる吊り下げ部材と、
上端を支点として揺動自在に支持され、前記吊り下げ部材で吊り下げられた被処理物に添う電気絶縁性の補助具と、
上記補助具を揺動させるための駆動手段と、
被処理物と補助具間を結合する結合部材と、
前記各部材を担持する枠体と、
を有することを特徴とする表面処理装置。
【請求項２】
前記電極は横設された梁形状で前記枠体に固定されている請求項１に記載の表面処理装置。
【請求項３】
前記吊り下げ部材が前記導電性部材を兼ねている請求項１に記載の表面処理装置。
【請求項４】
前記導電性部材はアルミ線材である請求項１に記載の表面処理装置。
【請求項５】
前記吊り下げ部材は線材である請求項１に記載の表面処理装置。
【請求項６】
前記補助具は耐熱・耐薬品性樹脂材を梯子状に構成した請求項１に記載の表面処理装置。
【請求項７】
上記補助具を揺動するための駆動手段は、上記補助具に補助具の揺動と共に揺動するように設けられたアーム端と枠体間を連結するクレビス形エアシリンダである請求項１に記載の表面処理装置。
【請求項８】
前記電極は前記枠体の一部である請求項１に記載の表面処理装置。
【発明の詳細な説明】
【０００１】
【発明の属する技術分野】
本発明はアルミ材の表面処理槽に充填された陽極処理液中に被処理部品、例えばスタブビームを浸漬する表面処理装置に関する。
【０００２】
【発明が解決しようとする課題】
本発明は後述の従来の技術を更に発展させたものである。本発明は処理液中に浸漬した場合に形状が空気溜りの出来易いポケット形状のある被処理物であって、形状又は大きさもしくは形状大きさ共に異なる被処理物のポケット部が完全に処理出来、コストの安い表面処理装置を提供することを目的とする。
【０００３】
【課題を解決するための手段】
本発明の第１の発明は被処理物を空中と処理槽中のとの間を上下動し、被処理物を処理槽中の処理液中にて揺動可能とした表面処理装置において、電極と、前記電極と被処理物とを結合する導電性部材と、被処理物をぶら下げる吊り下げ部材と、上端を支点として揺動自在に支持され、前記吊り下げ部材で吊り下げられた被処理物に添う電気絶縁性の補助具と、上記補助具を揺動させるための駆動手段と、被処理物と補助具間を結合する結合部材と、前記各部材を担持する枠体と、を有することを特徴とする表面処理装置である。
【０００４】
本発明の第２の発明は前記電極は横設された梁形状で前記枠体に固定されている第１の発明に記載の表面処理装置である。
【０００５】
本発明の第３の発明は前記吊り下げ部材が前記導電性部材を兼ねている第１の発明に記載の表面処理装置である。
【０００６】
本発明の第４の発明は前記導電性部材はアルミ線材である第１の発明に記載の表面処理装置である。
【０００７】
本発明の第５の発明は前記吊り下げ部材は線材である第１の発明に記載の表面処理装置である。
【０００８】
本発明の第６の発明は前記補助具は耐熱・耐薬品性樹脂材を梯子状に構成した第１の発明に記載の表面処理装置である。
【０００９】
本発明の第７の発明は上記補助具を揺動するための駆動手段は、上記補助具に補助具の揺動と共に揺動するように設けられたアーム端と枠体間を連結するクレビス形エアシリンダである第１の発明に記載の表面処理装置である。
【００１０】
本発明の第８の発明は前記電極は前記枠体の一部である第１の発明に記載の表面処理装置である。
【００１１】
【従来の技術】
めっき処理槽に充填された、エアーバブリングされるめっき液中にプリント基板を浸漬するめっき治具において、プリント基板を縦置きに保持するキャリアを治具本体に揺動可能に支持したプリント基板のめっき治具が、特開平１−３１６４９８号公報に開示されている。
【００１２】
従来、空気溜り部は反応ガスの存在のために処理液との接触が不十分となり、周囲の部分に比べて表面処理が不良となるので、処理液に浸漬した被処理物を人が揺動して反応ガスを逃がしたり、処理後に不十分な表面処理部を補修して、周りと同等な処理面としていた。
【００１３】
【発明の実施の形態】
以下、本発明の実施の形態を図面に従って説明する。
【００１４】
〔実施の形態１〕
図１は、正面図、図２は図１の側面図である。被処理物Ｗを吊り下げる吊り下げ部材１の上端は横設した電極２に支持されている。電極２は絶縁して支持部材２ａに固定され、支持部材２ａは枠体１３に固定されている。この電極２への吊り下げ部材１の支持は電極２にハンガ３を設け、このハンガ３に吊り下げ部材１の上端に結合した金属の輪環４を引っかける。被処理物Ｗは吊り下げ部材１で結束される。ここで吊り下げ部材１としては処理槽５中の処理液Ｌに侵されない材質のアルミニウム線材等が選ばれる。
【００１５】
本例では、吊り下げ部材１は２本であるが被処理物Ｗの形状により１本以上必要な数だけ用いる。また二つの被処理物Ｗは夫々が共通の吊り下げ部材１に結合されている。この吊り下げ部材１は導電性として電極２と被処理物Ｗを結ぶ導電性部材を兼ねてもよい。本例では電極２と被処理物Ｗは導電性部材１ａでゆるく結合されている。この導電性部材１ａはアルミニウム線である。この導電性部材１ａとしては導電性と可撓性があれば他の材料でもよい。なお、吊り下げ部材１はひも、ワイヤ、チェン、等被処理物Ｗが吊り下げ状態で自在に揺動できるものであればよい。
【００１６】
補助具６は梯子状に絶縁材、例えば変成ＰＰＥ（ポリフェニレンエーテル）材で形成され、上端の水平軸６ａは、ブラケット７に固定して垂下しているハンガ７ａ下端に設けた軸受７ｂに回動自在に嵌合しており、補助具６はブラケット７に吊り下げられ、水平軸６ａを中心に揺動自在である。
【００１７】
補助具６と被処理物Ｗはワイヤ８により、結ばれている。このワイヤ８は特に制約はなく、補助具６と被処理物Ｗが結合されればよい。本例では被処理物Ｗの下端よりも一方へ向ってワイヤ８を張るように用いている。
【００１８】
補助具６を揺動させるための駆動手段９についてのべる。上記補助具６の軸６ａの中央に固定又は一体に設けたアーム１１にピストンロッド端を枢着されると共に、シリンダ後端をブラケット７に結合されたクレビス形のエアシリンダ１２を備えている。
【００１９】
ブラケット７は装置全体を支持する枠体１３に取り付けられている。枠体１３には電極２が固定されている。枠体１３は上下方向のガイド手段で垂直に上下できるように規制してもよい。
【００２０】
上記エアシリンダ１２へは圧縮空気源１４から、切換バルブを含むコントローラ１５を介して圧縮空気配管が設けられている。
【００２１】
枠体１３は図示されないホイストにより吊り下げられ上下動して、被処理物Ｗを含み装置全体が処理槽５内の処理液Ｌに被処理物Ｗが浸漬する位置と、処理槽５の上方の空間の位置をとることができるようになっている。
【００２２】
上記における作用を説明する。装置全体は枠体１３をホイストで引き上げられて上限の位置に有り、全てが空中にある。この状態で吊り下げ部材１で被処理物Ｗを結束して輪環４をハンガ３に掛けて被処理物Ｗを吊り下げる。次にワイヤ８でもって被処理物Ｗと補助具６を結びつける。この結び方はゆるみなく結束してもよく、たるませて結んでもよい。次に電極２と被処理物Ｗを導電線部材１ａで結合する。図示されないホイストにより、枠体１３を吊り下げたまま処理液Ｌ中へ被処理物Ｗが全部浸漬するまで降下させ停止する。ここで図２に示すように、補助具６は垂下していて鉛直方向を保ったままであり、エアシリンダ１２はピストンが中間位置にある。被処理物Ｗは電極２から下る吊り下げ部材１で吊り下げられ、ほぼ垂直方向を向いている。図１において上記の被処理物Ｗを支持すると共に、上記の被処理物Ｗを吊り下げることにより垂直方向を向いた吊り下げ部材１には、更に張力が加わるように下側の被処理物Ｗがぶらさがっている。そして、図１において右側の導電性部材１ａは電極２から各被処理物Ｗへゆるく結合されていて導電状態となっている。
【００２３】
ここでエアシリンダ１２は圧縮空気源１４から切換弁を介して交互に左右のシリンダ室へ送られる圧縮空気で伸縮し、これによってアーム１１を補助具６の軸６ａを中心に揺動しこれによって軸６ａは軸受７ｂ中で揺動して補助具６を図２に示す位置から左右へ夫々約７°の範囲で揺動する。この揺動につれてワイヤ８で結ばれている被処理物Ｗはハンガ３を中心にして吊り下げ部材１に吊り下げられ乍ら揺動する。
【００２４】
このように揺動するため、被処理物Ｗに空気のポケットがあったとしても、このポケットが解消する。被処理物Ｗは吊り下げ部材１で吊り下げられるので大小、形状の差異にかかわらず、この装置を用いることができ、特に被処理物Ｗに合わせるための治具の必要がない。補助具６が梯子状であるので被処理物Ｗの大小、形状の相違にかかわらず、被処理物Ｗと補助具６を結合するのみですむ。吊り下げ部材１と導電性部材１ａを兼用すれば部材が節約される。特に補助具６は耐熱・耐薬品性樹脂材を梯子状に組んだのみであり、全体の設備コストを著しく引き下げている。
【００２５】
【実施例】
被処理物Ｗのアルミ材のスタブビームは陽極、処理液Ｌの極性は陰極である。
【００２６】
【発明の効果】
本出願に係る第１の発明は、吊り下げ部材で被処理物を被処理液中にぶら下げておいて、被処理物に沿う上端を支点として揺動自在な補助具と被処理物を結合して被処理物を揺動させるようにしたので、（１）被処理物の大小、形状の相違に対して装置を変更することなくそのまま使用できる。（２）吊り下げ具で他の工程終了後の被処理物を枠体に吊り下げ、被処理物と補助具を結合部材で結ぶだけであり、治具への被処理物取り付けというような繁雑な作業がない。（３）簡単な補助具を用いて、これを駆動するのみであり、設備コストが非常に安い。
【００２７】
本出願に係る第２の発明は、第１の発明において、電極が横設されているので、導電線部材の結合部分が選び易く、適宜、被処理物の揺動の障害とならない場所が選べる。
【００２８】
本出願に係る第３の発明は、第１の発明において吊り下げ部材が導電線部材を兼ねているので、被処理物を電極にぶら下げるだけでよい。
【００２９】
本出願に係る第４の発明は、第１の発明において導電性部材をアルミ線材としたので陽極処理液に対応できる。
【００３０】
本出願に係る第５の発明は、吊り下げ部材は線材であることにより、揺動に対する自由度が大きく且つそのまま被処理物を結束できる。
【００３１】
本出願に係る第６の発明は、第１の発明において、補助具を耐熱・耐薬品性樹脂材としたことにより、比較的安価な装置を提供できた。
【００３２】
本出願に係る第７の発明は第１の発明において、補助具にアームを設けこのアームと枠体間をクレビス形エアシリンダで結合したので、構成要素が極めて少なく動作確実で且つ揺動に際して、揺動の端部において補助具を急速度で揺動の方向変換を行わせるので、被処理物の気泡を取り除く効果が大きい。
【００３３】
本出願に係る第８の発明は、第１の発明において、電極を枠体の一部としたことにより、電極を枠体として用いることができる。従って電極に被処理物を吊り下げられる。
【図面の簡単な説明】
【図１】本発明の実施の形態の正面図である。
【図２】図１の側面図である。
【符号の説明】
１…吊り下げ部材  １ａ…導電性部材
２…電極
３…ハンガ
４…輪環
５…処理槽
６…補助具  ６ａ…水平軸
７…ブラケット  ７ａ…ハンガ  ７ｂ…軸受
８…ワイヤ
９…駆動手段
１１…アーム
１２…エアシリンダ
１３…枠体
１４…圧縮空気源
１５…コントローラ
Ｗ…被処理物
Ｌ…処理液
【図１】
0003578562.tif 000002
【図２】
0003578562.tif 000003